(57)【要約】【課題】子供の教育・玩具、広告、イルミネーション、ディスプレイカバー等に利用できるテレビ、コンピュータ等のディスプレイ用透光カバーを提供することを目的とする。【解決手段】遮光性材料からなるシート材１に、光透過小孔２を、多数、適宜絵柄３を表わす輪郭線が形成されるよう穿設したものであって、且つ前記シート材１は、それら光透過小孔２の全てが、テレビ６、コンピュータ等のディスプレイ７正面と対向するようにして取り付け可能に構成する。【選択図】          図４
2005025014.tif 000002
【特許請求の範囲】
【請求項１】
遮光性材料からなるシート材に、光透過小孔を、多数、適宜絵柄を表わす輪郭線が形成されるよう穿設したものであって、且つ前記シート材は、それら光透過小孔の全てが、テレビ、コンピュータ等のディスプレイ正面と対向するようにして取り付け可能であることを特徴とするテレビ、コンピュータ等のディスプレイ用透光カバー。
【請求項２】
遮光性材からなるシート材として、紙、布地、プラスチックフィルム、アルミ箔の１枚若しくは複数枚を重ね合せたものを使用することを特徴とする前記請求項１記載のテレビ、コンピュータ等のディスプレイ用透光カバー。
【請求項３】
光透過小孔を多数穿設したシート材を、テレビ、コンピュータ等のディスプレイ正面に取り付ける手段として、接着材、両面粘着テープ、面ファスナー、マグネットのいずれかを使用することを特徴とする前記請求項１記載のテレビ、コンピュータ等のディスプレイ用透光カバー。
【発明の詳細な説明】
【０００１】
【発明の属する技術分野】
本発明は、テレビ、コンピュータ等のディスプレイ用透光カバーに関する。
【０００２】
【従来の技術】
従来、テレビ、コンピュータ等のディスプレイは、テレビを看る、コンピュータを操作する、などの目的でのみ使用されている。
【０００３】
ディスプレイ用のシートカバーも使用されているが、防塵が目的である。
【０００４】
【発明が解決しようとする課題】
以上のように、前記した従来のテレビ、コンピュータ等のディスプレイは、その用途が限定的であった。
【０００５】
本発明は、このような事情に鑑みなされたもので、子供の教育・玩具、広告、イルミネーション、ディスプレイカバー等に利用できるテレビ、コンピュータ等のディスプレイ用透光カバーを提供することを目的とする。
【０００６】
【課題を解決するための手段】
上記目的を達成するため、本発明に係るテレビ、コンピュータ等のディスプレイ用透光カバーは、遮光性材料からなるシート材に、光透過小孔を、多数、適宜絵柄を表わす輪郭線が形成されるよう穿設したものであって、且つ前記シート材は、それら光透過小孔の全てが、テレビ、コンピュータ等のディスプレイ正面と対向するようにして取り付け可能であることを特徴とする。
【０００７】
この請求項１の発明では、シート材を、稼動中のテレビ、コンピュータ等のディスプレイ正面に取り付けると、ディスプレイの明りが、シート材の各光透過小孔を通って発光する。このとき、光透過小孔は、絵柄を表わす輪郭線上に形成されているため、時々刻々と変化するディスプレイの明りが、各光透過小孔から発光されると、あたかも動画を看るように楽しむことができる。
【０００８】
子供等がシート材に所望の絵柄の光透過小孔を穿設することで、教育・玩具として利用できる。また、店頭に展示されているテレビやコンピュータ、さらにオーロラビジョンに用いることで広告やイルミネーション等としても利用できる。
【０００９】
【発明の実施の形態】
以下、本発明の実施の形態について図面を参照して詳細に説明する。
図１は、本発明に係るテレビ、コンピュータ等のディスプレイ用透光カバーを示す正面図、図２は、同上の背面図、図３は、同上の平面図、図４は、同上透光カバーをテレビに取り付ける前の斜視図、図５は、同上透光カバーをテレビに取り付けた状態を示す側面図、図６は、図５と同じ状態を示す正面図、図７は、透光カバーの他例を示す正面図である。
【００１０】
図面において、１はシート材で、遮光性材料、例えば紙、布地、プラスチックフィルム、アルミ箔等にて形成されている。シート材１は１枚でも良いが、薄くて透けるような材料の場合は複数枚重ね合せて使用する。また、シート材１は図示例では、テレビのディスプレイ（後述する。）の正面全体をカバーできる大きさで矩形に形成されているが、大きさ、形状とも、用途に応じて自由に選定可能である。
【００１１】
図面において、２はシート材に穿設された光透過小孔で、絵柄３を表わす輪郭線が形成されるよう、多数列設してある。絵柄３の内容は、子供用の教育・玩具、広告、イルミネーション等、その用途に応じて好適なものを選定する。小孔２は、絵柄３の大きさに応じて１〜１０ｍｍ程度の丸孔、楕円孔、角孔等いずれを使用することも可能である。
【００１２】
図面において、４はシート材１の取り付け具で、接着材、両面粘着テープ、面ファスナー、マグネット等いずれを使用することも可能である。
【００１３】
図示例では、両面粘着テープ５が使用されている。
この両面粘着テープ５をシート材１裏面の四つの角部に粘着し、使用する時に表紙５ａを剥し、露出した粘着材層をテレビ等の適宜部位に押し付ける。図示しない接着材を使用する時は、シート材１裏面の各角部に接着材を粘着した後、同接着材部分を当該部位に押し付ける。図示しない面ファスナーやマグネットを使用する時は、シート材１に一方（面ファスナーでは雌・雄のどちらか。マグネットでは＋・−のどちらか）を取り付け、他方をテレビ等に取り付け、両者を接着する。
【００１４】
図面において、６はテレビで、そのディスプレイ７正面に絵柄３が対向するようにシート材１は、その裏側四角部に設けられた既述取り付け具４を介してディスプレイ７外側に取り付けられる。
【００１５】
ところで、図示例では本透光カバーをテレビ６に用いているが、コンピュータのディスプレイ、オーロラビジョン（図示しない）にも同様な方法で取り付けることができる。
【００１６】
このような構成において、使用する際には、既述したようにシート材１をテレビ６のディスプレイ７の正面に取り付ける一方、テレビ６のスイッチを入れる。すると、ディスプレイ７の明りが、シート材１の光透過小孔２を通って発光する。
【００１７】
これら光透過小孔２は絵柄３を表わす輪郭線上に形成されているため、時々刻々と変化するディスプレイ７の明りが、各光透過小孔２から発光されると、あたかも動画を看るように楽しむことができる。
【００１８】
また、テレビ、パソコン販売店の店頭に展示されているテレビ、パソコン、あるいは街中に設置されているオーロラビジョンのディスプレイに取り付けることで動画を広告として使用することができる。
【００１９】
さらに、図７に示したように、シート材１に絵柄３を表わす輪郭線に沿って点８を印刷したものを使用することもできる。錐等の孔あけ具を使って点８に光透過小孔２を穿設した後、当該シート材１をテレビ６のディスプレイ７等に取り付ける。上記シート材１および孔あけ具等をセットすることで子供等の教育・玩具として使用することもできる。
【００２０】
【発明の効果】
本発明は、以上詳述したように構成されるものであるから、稼動中のテレビ、コンピュータ、オーロラビジョン等のディスプレイに取り付けるだけで各光透過小孔から発光する光によって適宜絵柄の美しい動画を看るように楽しむことができる。このため、子供等の教育・玩具、室内の装飾、店頭や街中の広告、さらにはディスプレイ用の防塵カバーなど多方面に亘って使用することができる。
【図面の簡単な説明】
【図１】本発明に係るテレビ、コンピュータ等のディスプレイ用透光カバーを示す正面図である。
【図２】同上の背面図である。
【図３】同上の平面図である。
【図４】同上透光カバーをテレビに取り付ける前の斜視図である。
【図５】同上透光カバーをテレビに取り付けた状態を示す側面図である。
【図６】図５と同じ状態を示す正面図である。
【図７】透光カバーの他例を示す正面図である。
【符号の説明】
１    シート材
２    光透過小孔
３    絵柄
４    取り付け具
５    両面粘着テープ
６    テレビ
７    ディスプレイ
８    点
【図１】
2005025014.tif 000003
【図２】
2005025014.tif 000004
【図３】
2005025014.tif 000005
【図４】
2005025014.tif 000006
【図５】
2005025014.tif 000007
【図６】
2005025014.tif 000008
【図７】
2005025014.tif 000009